(57)【要約】【課題】リモコン装置を壁に取り付ける際にリモコン装置のケースと壁との間にリード線を挟みこむことを確実に防止しつつ、取り付け作業を容易に行うことのできるリモコン装置の取付構造を提供すること。【解決手段】本発明のリモコン装置の取付構造は、機器を遠隔操作するためのリモコン装置を壁に取り付ける際に、リモコン装置の内部からリモコン装置の背面側の外部へ取り出されたリード線４を、壁に形成された孔に通すための取付構造であって、リモコン装置の背面側ケースから後方に突出し、リード線を通す中空部を有する筒状の突出部材１６を備え、リモコン装置を壁に取り付ける際、突出部材１６が壁に押し当てられることによって突出部材１６が引っ込むように構成されている。【選択図】図３
2011193356.tif 000002
【特許請求の範囲】
【請求項１】
機器を遠隔操作するためのリモコン装置を壁に取り付ける際に、前記リモコン装置の内部から前記リモコン装置の背面側の外部へ取り出されたリード線を、前記壁に形成された孔に通すための取付構造であって、
前記リモコン装置の背面側ケースから後方に突出し、前記リード線を通す中空部を有する筒状の突出部材を備え、
前記リモコン装置を前記壁に取り付ける際、前記突出部材が前記壁に押し当てられることによって前記突出部材が引っ込むように構成されていることを特徴とするリモコン装置の取付構造。
【請求項２】
前記突出部材を後方へ付勢する付勢部材を備え、前記突出部材が前記壁に押し当てられたとき、前記付勢部材が変形することによって前記突出部材が引っ込むように構成されていることを特徴とする請求項１記載のリモコン装置の取付構造。
【請求項３】
前記突出部材が可撓性部材で構成されており、前記突出部材が前記壁に押し当てられたとき、前記突出部材自身が圧縮されることによって前記突出部材が引っ込むように構成されていることを特徴とする請求項１記載のリモコン装置の取付構造。
【請求項４】
前記リモコン装置を前記壁に取り付けた状態で、前記圧縮された前記突出部材は、前記壁と前記背面側ケースとに密着することによって前記リード線の取り出し口をシールするシール部材として機能することを特徴とする請求項３記載のリモコン装置の取付構造。
【請求項５】
前記リモコン装置の正面側ケースと前記背面側ケースとが前記突出部材の設置箇所の近傍で当接する当接部が設けられていることを特徴とする請求項１乃至４の何れか１項記載のリモコン装置の取付構造。
【発明の詳細な説明】
【技術分野】
【０００１】
本発明は、リモコン装置の取付構造に関する。
【背景技術】
【０００２】
機器を遠隔操作するためのリモコン（リモートコントローラ）装置を壁に取り付けて使用することが広く行われている。例えば、浴槽やシャワー、流し台の給湯栓などに給湯する給湯機を遠隔操作するリモコン装置が、浴室や台所の壁に取り付けられている。
【０００３】
この種のリモコン装置は、リード線により、機器と通信可能に接続される。このため、リモコン装置を壁に取り付ける際には、リモコン装置から出ているリード線を、壁に開けた孔に通し、壁の裏で配線と接続する必要がある。この取り付けの際、リモコン装置のケースと壁面との間に、たるんで曲がったリード線がはみ出して、挟み込まれることがある。リード線はリモコン装置の背面から出ているため、ケースと壁面との間にリード線が挟み込まれても、取り付け作業者の目からは見ることが困難である。このため、ケースと壁面との間にリード線が挟み込まれた状態でリモコン装置が壁に固定されてしまう場合がある。この場合、リード線が傷ついたり断線したりするおそれがある。
【０００４】
従来のリモコン装置では、上記のようなリード線の挟み込みを防止するために、リモコン装置の背面に保護パイプを突設し、この保護パイプの中にリード線を通すようにしているものがある（例えば、特許文献１参照）。
【先行技術文献】
【特許文献】
【０００５】
【特許文献１】特開平１０-４２３８２号公報  （図１）
【発明の概要】
【発明が解決しようとする課題】
【０００６】
リモコン装置の背面に保護パイプを突設している場合には、壁に取り付ける際、保護パイプが挿入可能な大きさの孔を壁に形成しなければならない。すなわち、保護パイプより径の大きな孔を壁に開ける必要があるので、手間が掛かる。また、壁に開けた孔に保護パイプを挿入することよってリモコン装置の取り付け位置が規定されてしまうため、保護パイプを挿入するための孔と、リモコン装置を固定するために壁に設けたネジ孔との位置関係がずれた場合には、ネジ孔にネジを入れられなくなり、孔位置を修整しなければならなくなる。このようなことから、リモコン装置の取り付け作業を効率良く行うことが困難である。
【０００７】
本発明は、上述のような課題を解決するためになされたもので、リモコン装置を壁に取り付ける際にリモコン装置のケースと壁との間にリード線を挟みこむことを確実に防止しつつ、取り付け作業を容易に行うことのできるリモコン装置の取付構造を提供することを目的とする。
【課題を解決するための手段】
【０００８】
本発明に係るリモコン装置の取付構造は、機器を遠隔操作するためのリモコン装置を壁に取り付ける際に、リモコン装置の内部からリモコン装置の背面側の外部へ取り出されたリード線を、壁に形成された孔に通すための取付構造であって、リモコン装置の背面側ケースから後方に突出し、リード線を通す中空部を有する筒状の突出部材を備え、リモコン装置を壁に取り付ける際、突出部材が壁に押し当てられることによって突出部材が引っ込むように構成されているものである。
【発明の効果】
【０００９】
本発明によれば、リモコン装置を壁に取り付ける際にリモコン装置のケースと壁との間にリード線を挟み込むことを確実に防止することができる。また、壁に開ける孔が、リード線を通すことができるだけでよいので小さくて済むことなどから、取り付け作業を容易且つ迅速に行うことができる。
【図面の簡単な説明】
【００１０】
【図１】本発明の実施の形態１のリモコン装置を背面側から見た斜視図である。
【図２】図１に示すリモコン装置を壁に取り付けた状態で図１中のイの平面で切断した断面図である。
【図３】図２中のロで示す部分の拡大図（ただし、リモコン装置を壁に取り付ける前の状態）である。
【図４】本発明の実施の形態２のリモコン装置を壁に取り付けた状態における断面図である。
【図５】図２中のハで示す部分の拡大図（ただし、リモコン装置を壁に取り付ける前の状態）である。
【発明を実施するための形態】
【００１１】
以下、図面を参照して本発明の実施の形態について説明する。なお、各図において共通する要素には、同一の符号を付して、重複する説明を省略する。
【００１２】
実施の形態１．
図１は、本発明の実施の形態１のリモコン装置を背面側から見た斜視図である。図２は、図１に示すリモコン装置を壁に取り付けた状態で図１中のイの平面で切断した断面図である。図３は、図２中のロで示す部分の拡大図（ただし、リモコン装置を壁に取り付ける前の状態）である。
【００１３】
これらの図に示すリモコン装置１０は、例えば給湯機などの機器を遠隔操作するために壁に設置されるものである。リモコン装置１０は、給湯機を遠隔操作するものである場合には、浴室や台所の壁に取り付けられる。
【００１４】
図２に示すように、リモコン装置１０の筐体は、正面側ケース１と背面側ケース２とを組み合わせることによって構成されている。リモコン装置１０は、背面側ケース２がネジ６によって壁７に固定されることで、壁７に取り付けられている。リモコン装置１０の内部には、電子回路基板５が設置されている。電子回路基板５からは、当該リモコン装置１０で操作する対象機器と通信可能に接続するためのリード線４が引き出されている。リード線４は、リモコン装置１０の内部から、背面側ケース２に形成された取り出し口を通って、リモコン装置１０の外部に取り出されている。背面側ケース２に形成されたリード線４の取り出し口には、リード線４を挿通する孔が形成されたゴム部材１５が嵌め込まれている。壁７には、リード線４を通すための貫通孔８が形成されている。リード線４は、貫通孔８を通って壁７の裏側に達し、操作対象機器への配線と接続される。背面側ケース２と壁７との隙間は、パッキン３によってシール（封止）されている。これにより、リード線４の取り出し口からリモコン装置１０の内部に水や異物が侵入することが防止される。
【００１５】
リモコン装置１０を壁７に取り付ける前には、図１に示すように、筒状（円筒状）の突出部材１１が背面側ケース２から後方に突出している。リード線４は、この突出部材１１の中空部を通って、外に取り出されている。図３に示すように、背面側ケース２には、突出部材１１を収納可能な環状の溝を有する収納部１３が形成されている。収納部１３内には、突出部材１１を後方（リモコン装置１０の背面方向）に付勢する付勢部材としてのバネ１２が設置されている。リモコン装置１０を壁７に取り付ける前には、バネ１２によって突出部材１１が押し出されることにより、突出部材１１が図１のように後方に突出した状態になっている。リモコン装置１０を壁７に取り付ける際には、突出部材１１の先端が貫通孔８の周囲の壁面に押し当てられる。これにより、突出部材１１が壁７によって押圧されると、バネ１２が縮んで突出部材１１が引っ込み、収納部１３内に収納される。
【００１６】
本実施形態によれば、リモコン装置１０を壁７に取り付ける際に、リード線４が突出部材１１の中空部に挿通されているので、リード線４が壁７の貫通孔８の内部に納まらずにたるんで曲がった場合であっても、突出部材１１が突出して壁７とリモコン装置１０との間に空間を形成するので、たるんだ状態を視認し改善することができるのでリード線４は、突出部材１１の外側には、はみ出ない。このため、壁７と背面側ケース２との間にリード線４が挟み込まれることを確実に防止することができる。よって、リード線４が壁７と背面側ケース２との間に挟み込まれたままでリモコン装置１０が固定されて、リード線４が傷ついたり断線したりすることを確実に防止することができる。また、突出部材１１は、リモコン装置１０を壁７に取り付けることによって引っ込むので、突出部材１１を貫通孔８に挿入させる必要はない。このため、壁７に形成する貫通孔８は、突出部材１１より小さい径でよく、リード線４だけが通せる大きさであればよい。よって、壁７に貫通孔８を形成する作業も容易である。また、突出部材１１を貫通孔８に挿入しないので、貫通孔８の位置が多少ずれても、リモコン装置１０の取り付け位置には影響しない。このため、ネジ６が挿入する壁７のネジ孔と、貫通孔８との位置関係が多少ずれても、問題なくリモコン装置１０を壁７に取り付けることができる。このようなことから、本実施形態によれば、リモコン装置１０の取り付け作業を容易且つ迅速に行うことができる。
【００１７】
また、図示の構成では、突出部材１１の内側に位置する背面側ケース２の表面は、それ以外の背面側ケース２の表面と比べて、一段低く形成されている。これにより、突出部材１１の内側でリード線４が壁７と背面側ケース２との間に挟み込まれることを確実に防止することができる。また、パッキン３を大きくすることができ、その全面を確実に壁７に当てることができる。
【００１８】
なお、本実施形態では、突出部材１１を硬質な部材で構成し、バネ１２によって突出部材１１が進退可能となるように構成したが、本発明では、例えば蛇腹のような可撓性部材で突出部材を構成してもよい。突出部材を可撓性部材で構成した場合には、リモコン装置を壁に取り付ける際に突出部材を壁に押し当てたとき、突出部材自身が圧縮されて引っ込むように構成することができるので、バネ１２のような付勢部材を使用しなくても、上記と同様の効果が得られる。
【００１９】
実施の形態２．
次に、図４および図５を参照して、本発明の実施の形態２について説明するが、上述した実施の形態１との相違点を中心に説明し、同一部分または相当部分は同一符号を付し説明を省略する。図４は、本発明の実施の形態２のリモコン装置を壁に取り付けた状態における実施の形態１での図２に相当する断面図である。図３は、図２中のハで示す部分の拡大図（ただし、リモコン装置を壁に取り付ける前の状態）である。
【００２０】
これらの図に示す本実施形態のリモコン装置２０が備える筒状の突出部材１６は、弾性材料（例えば、弾力性のある発泡ゴム）で形成された可撓性部材で構成されている。背面側ケース２には、突出部材１６を収納可能な環状の溝を有する収納部１８が形成されている。リモコン装置２０を壁７に取り付ける前には、図５に示すように、突出部材１６は、背面側ケース２から後方に突出している。リモコン装置２０を壁７に取り付ける際、突出部材１６が壁７によって押圧されると、突出部材１６は、圧縮されて引っ込み、図４に示すようにして収納部１８内に収納される。
【００２１】
本実施形態によれば、前述した実施の形態１と同様の効果が得られるほか、次のような効果も得られる。リモコン装置２０が壁７に取り付けられた状態では、圧縮された突出部材１６が背面側ケース２と壁７とに密着している。このため、背面側ケース２に形成されたリード線４の取り出し口は、突出部材１６によってシール（封止）され、水や異物がリモコン装置２０内に侵入することを防止することができる。このように、本実施形態では、突出部材１６がリード線４の取り出し口をシールするシール部材としても機能するので、実施の形態１のパッキン３のような部材を省略することができる。
【００２２】
図４に示すように、正面側ケース１には、内面側に突出するボス１７が形成されている。このボス１７の先端は、背面側ケース２に形成された収納部１８の底部に当接している。前述したように、リモコン装置２０を壁７に取り付ける際には、突出部材１６が壁７に押されて圧縮されるので、その圧縮反力により収納部１８が押されて、背面側ケース２がたわみ変形する。突出部材１６をシール部材として機能させるためには、突出部材１６の圧縮反力を大きくして密着度を高める必要があるので、ボス１７が無いと、背面側ケース２の変形量が大きくなる場合がある。これに対し、本実施形態では、正面側ケース１に形成されたボス１７と収納部１８とが当接する当接部が設けられているので、突出部材１６の圧縮反力を正面側ケース１と背面側ケース２との両方で受けることができる。このため、両ケースの変形量を少なくすることができる。
【００２３】
なお、図示の構成では、ボス１７が収納部１８に当接しているが、ボス１７は必ずしも収納部１８に当接する必要はなく、突出部材１６の設置箇所の近傍に当接していればよい。また、ボス１７のような突起を、正面側ケース１ではなく、背面側ケース２に形成してもよい。また、正面側ケース１と背面側ケース２間に介在する電子回路基板５を含めて構成してもよい。要するに、突出部材１６の設置箇所の近傍で正面側ケース１と背面側ケース２とが当接する当接部を設ければ、上記と同様の効果が得られる。
【符号の説明】
【００２４】
１            正面側ケース
２            背面側ケース
３            パッキン
４            リード線
５            電子回路基板
７            壁
８            貫通孔
１０，２０    リモコン装置
１１，１６    突出部材
１２          バネ
１３，１８    収納部
１７          ボス
【図１】
2011193356.tif 000003
【図２】
2011193356.tif 000004
【図３】
2011193356.tif 000005
【図４】
2011193356.tif 000006
【図５】
2011193356.tif 000007